(57)【要約】【課題】本発明は、容器に収納した防虫剤や芳香剤等の液体薬剤の残存量を容易に一目で目視認識することができる、簡便にして安価な液体薬剤容器を提供する。【解決手段】透明プラスチックシートを成形してなる一端に開口部が形成された容器本体に、複数個の凸状部を形成した容器に液体薬剤を収納して、プラスチックフィルムで該容器本体の開口部を封止してなる容器であって、前記凸状部の開口部に対応する凸状部の深さとの比率が、複数個のいずれの凸状部においても０．０５〜０．３の範囲を満たし、かつ容器本体は形状を保持し、前記プラスチックフィルム面から液体薬剤が揮散するその揮散量に応じて容器内が減圧されて、プラスチックフィルムが、容器本体に設けた凸状部側に凸状に変形することにより液体薬剤の残存量を目視認識できることを特徴とする液体薬剤容器である。【選択図】図１
2004010121.tif 000002
【特許請求の範囲】
【請求項１】
透明プラスチックシートを成形してなる一端に開口部が形成された容器本体に、複数個の凸状部を形成した容器に液体薬剤を収納して、プラスチックフィルムで該容器本体の開口部を封止してなる容器であって、前記凸状部の開口部に対応する凸状部の深さとの比率が、複数個のいずれの凸状部においても０．０５〜０．３の範囲を満たし、かつ容器本体は形状を保持し、前記プラスチックフィルム面から液体薬剤が揮散するその揮散量に応じて容器内が減圧されて、プラスチックフィルムが、容器本体に設けた凸状部側に凸状に変形することにより液体薬剤の残存量を目視認識できることを特徴とする液体薬剤容器。
【請求項２】
前記プラスチックフィルムおよび液体薬剤、もしくはプラスチックフィルムを着色したことを特徴とする請求項１記載の液体薬剤容器。
【請求項３】
前記プラスチックフィルムを白色に着色したことを特徴とする請求項２記載の液体薬剤容器。
【発明の詳細な説明】
【０００１】
【発明の属する技術分野】
本発明は、液体薬剤容器に係わり、特に、所定の場所に設置した状態で、容器に収納された、例えば、防虫剤、芳香剤等の液体薬剤の残存量を容易に目視認識可能な、簡便にして安価な液体薬剤容器に関する。
【０００２】
【従来の技術】
一般に、常温揮散性の液体防虫剤または常温昇華性の固体防虫剤を基板材に含浸させて含浸体とし、この含浸体を容器に収納して薬剤容器としたものが提案されている。
【０００３】
例えば、図６に示すように、従来の薬剤容器は、一端部が閉塞するとともに、他端部に開口部７が形成された板状の容器本体６を有し、この容器本体６の上端部には洋服ダンスのパイプ等に吊設するためのフック部８が設けられ、また、側面には所定の間隔をおいて揮散ガスを外部に揮散させるための長孔９が穿設されている。
そして、前記容器本体６の他端部に形成された開口部７から取替部材１０が挿脱されるようになっていて、この取替部材１０は板状の薬剤揮散部１２と、この薬剤揮散部１２の端部に設けられた摘み部１３とからなっている。
【０００４】
この薬剤揮散部１２は平板状の基板材１１に防虫薬剤等の常温揮散性の液体薬剤が含浸されて形成されている。前記基板材１１は板紙、紙材、不織布、フェルト状織物、無機繊維等で形成され、液体薬剤に対して不活性で、この液体防虫剤を保持し、適宜薬剤を揮散させるようになっている。
【０００５】
また、前記摘み部１３は前記基板材１１の端部に設けられた半球状の部材で、取替部材１０の挿脱を容易にするため設けられている。
【０００６】
そして、この薬剤容器を洋服ダンスのパイプ、和ダンスのコーナー等に設置れ、薬剤容器の内部に収納された含浸体から薬剤が揮散して洋服ダンスおよび和ダンス等の内部に充満することで防虫等の効果を発揮するようになっている。
【０００７】
また、防虫効果が終了すると、使用者は洋服ダンス等のパイプ等から薬剤容器を取り外して薬剤容器ごと交換するか、薬剤容器に収納された含浸体を交換する必要がある。
【０００８】
また、従来の薬剤容器にあっては、使用されている時に、含浸体の内部にまだ防虫薬剤等の薬剤が含浸されていて防虫効果を発揮しているのか、あるいは、すでに揮散してしまって、防虫効果が充分に達せられていないかは薬剤容器や薬剤容器の内部に収納された含浸体を見ただけでは判断することができなかった。
【０００９】
したがって、含浸体の内部の防虫薬剤がすでに揮散して無くなっているにもかかわらず、認識することができないために、まだ防虫効果があると誤認して、洋服等に虫食い穴を開けたり、あるいは、含浸体にまだ充分に防虫薬剤が含浸されているにもかかわらず、使用者が誤認して捨ててしまう場合があり、いずれの場合にあっても、防虫薬剤の適切な交換時期を知ることができないという問題点を有していた。
【００１０】
薬剤容器や薬剤容器の内部に収納された含浸体を見ただけでは判断することができないという上記の問題点を解決する方法の一例として、薬剤容器や薬剤容器の内部に収納された含浸体にインジケータ部を設けることが行われている。例えば、前記取替部材１０は基板材１１に防虫薬剤等を含浸させた薬剤揮散部と、表示層からなるインジケータ部（図示せず）を設け、前記表示層は、一例として、無定形シリカ、カオリン、炭酸カルシウム等の無機材またはパルプ粉末等の有機材の白色系着色材に適当な結合剤が混合され、これを前記基板材１１の表面に塗布することにより形成され、インジケータ部は、基板材１１に液体防虫剤等が含浸されている間は、基板材１１から表示層に液体防虫剤等が供給され、供給を受けた表示層はその地色を消失し、この表示層を通して基板材１１の地色が透けて見えるようになり、表示層の存在が確認できない状態となる。
【００１１】
また、時間とともに、液体防虫剤等が、揮散して減少し、基板材１１に存在しなくなると、前記表示層に液体防虫剤等が供給されなくなり、表示層はその地色を露呈してその存在が目視で確認できる状態になる。
【００１２】
しかしながら、従来の含浸体を交換する方式では洋服ダンス等のパイプ等から薬剤容器を取り外し、薬剤容器を開いて交換する必要が有り、さらに、インジケータ部等を設けるために薬剤容器のコストアップを招く問題があった。
【００１３】
近年、このような薬剤容器において、含浸体の交換や、さらに上記のようなインジケータ部を設ける必要のない、簡便な、容易に目視認識が可能な、簡便にして安価な液体薬剤容器の開発が望まれていた。
【００１４】
【発明が解決しようとする課題】
本発明は、前記のような従来の薬剤容器のもつ問題点を解決したものであって、例えば、洋服ダンス等に設置した状態で、薬剤容器の部材等を交換する必要がなく、かつ容器に収納した防虫剤や芳香剤等の液体薬剤の残存量を容易に一目で目視認識することができる、簡便にして安価な液体薬剤容器を提供することを目的とするものである。
【００１５】
【課題を解決するための手段】
上記の目的を達成するために、請求項１に係る発明は、透明プラスチックシートを成形してなる一端に開口部が形成された容器本体に、複数個の凸状部を形成した容器に液体薬剤を収納して、プラスチックフィルムで該容器本体の開口部を封止してなる容器であって、前記凸状部の開口部に対応する凸状部の深さとの比率が、複数個のいずれの凸状部においても０．０５〜０．３の範囲を満たし、かつ容器本体は形状を保持し、前記プラスチックフィルム面から液体薬剤が揮散するその揮散量に応じて容器内が減圧されて、プラスチックフィルムが、容器本体に設けた凸状部側に凸状に変形することにより液体薬剤の残存量を目視認識できることを特徴とする液体薬剤容器である。
【００１６】
請求項２に係る発明は、請求項１記載の液体薬剤容器において、前記プラスチックフィルムの変形が目視可能となるように、前記プラスチックフィルムおよび液体薬剤、もしくはプラスチックフィルムを着色したことを特徴とする。
【００１７】
請求項３に係る発明は、請求項１または２記載の液体薬剤容器において、前記プラスチックフィルムを白色に着色したことを特徴とする。
【００１８】
【発明の実施の形態】
以下、本発明の好ましい実施形態について図面に基づいて説明する。
図１は、本発明の液体薬剤容器の一例を示した概略図であり、（ａ）はこの容器の概略断面図である。また、（ｂ）は容器本体側から見た概略平面図である。
【００１９】
図１に示すように、本発明の一実施例としての液体薬剤容器１は、透明プラスチックシートを成形してなる一端に開口部が形成された容器本体２に、３個の凸状部２ａ，２ｂ，２ｃを並列して形成した容器に液体薬剤４を収納して、プラスチックフィルム３で該容器の開口部を封止してなる容器である。
【００２０】
また、図２は、本発明の液体薬剤容器の別の例を示した概略図であり、（ａ）はこの容器の概略断面図である。また、（ｂ）は容器本体側から見た概略平面図である。
【００２１】
図２に示すように、本発明の一実施例としての液体薬剤容器５は、透明プラスチックシートを成形してなる一端に開口部が形成された容器本体２に、３個の凸状部２ｄ，２ｅ，２ｆを同心円状に形成した容器に液体薬剤４を収納して、プラスチックフィルム３で該容器の開口部を封止してなる容器である。
【００２２】
そして、本発明の液体薬剤容器は、上記に示したように、透明プラスチックシートを成形してなる一端に開口部が形成された容器本体に、複数個の凸状部を形成した容器に液体薬剤を収納して、プラスチックフィルムで該容器本体の開口部を封止してなる容器であって、前記凸状部の開口部に対する凸状部の深さとの比率が、複数個のいずれの凸状部においても０．０５〜０．３の範囲を満たすことを特徴とするものである。
【００２３】
即ち、図１に示した一実施例としての本発明の液体薬剤容器１においては、図３に示すように、容器本体２に設けた凸状部２ａ，２ｂ，２ｃの各々の開口部Ｗａ，Ｗｂ，Ｗｃに対応する凸状部の深さＬａ，Ｌｂ，Ｌｃとの各々の比率Ｌａ／Ｗａ，Ｌｂ／Ｗｂ，Ｌｃ／Ｗｃが０．０５〜０．３の範囲を満たすものである。
【００２４】
また、図２に示した一実施例としての本発明の液体薬剤容器５においては、図４に示すように、容器本体に設けた凸状部２ｄ，２ｅ，２ｆの各々の開口部Ｗｄ，Ｗｅ，Ｗｆに対応する深さＬｄ，Ｌｅ，Ｌｆとの各々の比率Ｌｄ／Ｗｄ，Ｌｅ／Ｗｅ，Ｌｆ／Ｗｆが同様に、０．０５〜０．３の範囲を満たすものである。
【００２５】
そして、本発明の液体薬剤容器は、容器に収納された防虫剤や芳香剤等の液体薬剤４が、プラスチックフィルム３面からが揮散し、その揮散量に応じて容器内が減圧されて、容器本体の形状は保持されたまま、プラスチックフィルム３のみがが容器本体に設けた凸状部側に凸状に変形することにより液体薬剤の残存量を目視認識できることを特徴とするものである。
【００２６】
液体薬剤容器本体に設けた凸状部の開口部に対する凸状部の深さとの比率が、複数個のいずれの凸状部においても０．０５〜０．３の範囲を満たすことで、容器に収納された防虫剤や芳香剤等の液体薬剤４が、プラスチックフィルム３面からが揮散し、その揮散量に応じて容器内が減圧されて、容器本体の形状は保持されたまま、プラスチックフィルム３のみが容器本体に設けた凸状部側に容易に凸状に変形することができる。凸状部の開口部に対する凸状部の深さとの比率が０．０５未満では、上記変形が判別し難く、一方、凸状部の開口部に対する凸状部の深さとの比率が０．３より大きな値では、プラスチックフィルム３の変形が凸状部側に凸状に変形が起こらず判別ができない。
【００２７】
図１に示した本発明の一実施例としての液体薬剤容器１を例示して、容器に収納された防虫剤や芳香剤等の液体薬剤４が、プラスチックフィルム３面からが揮散し、その揮散量に応じてプラスチックフィルム３のみがが容器本体に設けた凸状部側への凸状の変形する状態について図３を参照して説明する。
【００２８】
図３（ａ）は、本発明の一実施例としての液体薬剤容器であって、透明プラスチックシートを成形してなる一端に開口部が形成された容器本体２に、３個の凸状部２ａ，２ｂ，２ｃを並列して形成した容器に液体薬剤４を収納して、プラスチックフィルム３で該容器の開口部を封止してなる容器である。
【００２９】
図３（ｂ）は、所定の一定期間内に液体薬剤４が揮散し、容器の開口部を封止してなるプラスチックフィルム３が容器本体に設け凸状部２ａの形状に追従して凸状部２ａの内面にプラスチックフィルム３が密着変形３ａし、他の２つの凸状部２ｂ，２ｃにはまだ液体薬剤４が残存している状態を示している。
【００３０】
図３（ｃ）は、さらに所定の一定期間内に液体薬剤４が揮散し、容器の開口部を封止してなるプラスチックフィルム３が容器本体に設け凸状部２ｂの形状に追従して凸状部２ｂの内面にプラスチックフィルム３が密着変形３ｂし、他の１つの凸状部２ｃにはまだ液体薬剤４が残存している状態を示している。
【００３１】
図３（ｄ）は、さらに、一層時間が経過して、液体薬剤４が揮散し、容器の開口部を封止してなるプラスチックフィルム３が容器本体に設け凸状部２ｃの形状に追従して凸状部２ｃの内面にプラスチックフィルム３が密着変形３ｃし、液体薬剤４が容器には残存していない状態を示している。
【００３２】
このようにして、上記に例示した本発明の液体薬剤容器は、この容器に収納した液体薬剤が容器本体の開口部を封止したプラスチックフィルムから揮散し、その揮散量に応じて、図３に示すように、このプラスチックフィルムが、順次、（ａ）、（ｂ）、（ｃ）、（ｄ）の順に変形するので液体薬剤の残存量が一目で目視認識できる。
【００３３】
さらに、上記プラスチックフィルム３および液体薬剤４、もしくはプラスチックフィルム３を着色することで、上記で説明した変形および液体薬剤の残存量の視認性がさらに向上する。特に、液体薬剤４を白色を除く任意の色に着色し、プラスチックフィルム３を白色に着色するのが望ましい。
【００３４】
ここで、容器に収納する液体薬剤、容器本体に設ける凸状部の個数や形状、容器本体の開口部を封止するプラスチックフィルムの材質、厚さ等を適宜設計して構成することにより予め液体薬剤容器の有効期間を設定することも可能である。
【００３５】
本発明において用いられる容器本体を構成する透明プラスチックシートの材質としては、特に限定されるものではないが、機械的、物理的、化学的、その他等において優れた性質を有し、特に、強度を有して強靱な樹脂のシートを使用することができる。具体的には、例えば、ポリエチレンテレフタレート（ＰＥＴ）、ポリプロピレン（ＰＰ）、ポリエチレン（ＰＥ）、ナイロン（Ｎｙ）樹脂からなる透明プラスチックシートを挙げることができる。このシートの厚さは、特に限定されないが、３００〜５００μｍ程度が望ましい。
【００３６】
本発明において用いられる容器本体の開口部を封止するプラスチックフィルムとしては、揮散性液体薬剤を揮散透過するものであって、液体薬剤の揮散に応じて変形可能な柔軟性を有するものであれば特に限定されないが、低密度ポリエチレン樹脂（ＬＤＰＥ）フィルム、エチレン−酢酸ビニル共重合樹脂（ＥＶＡ）フィルム等が望ましい。このフィルムの厚さとしては、１０〜５０μｍ程度のものが好ましい。また、揮散性液体薬剤の揮散に応じて変形することによる液体薬剤の残存量を容易に目視できる用に、変形の視認性を高めるために、上記フィルムに着色剤を練り混んだ着色フィルムを用いることもできる。
【００３７】
本発明において用いられる液体薬剤としては、常温における揮散性を有する芳香剤、防虫剤等の、例えば、芳香族アルコールを主成分とする揮散性液体薬剤が用いられる。必要に応じて、この揮散性液体薬剤は、例えば、アルコール可溶性のアゾ染料、アントラキノン染料、塩基性染料の脂肪酸塩等の油溶染料を用いて着色することもできる。
【００３８】
特に、本発明において用いる揮散性液体薬剤を任意の色で着色して、容器本体の開口部を封止するプラスチックフィルムを白色に着色したＬＤＰＥフィルム、ＥＶＡフィルム等を用いた場合が、揮散性液体薬剤の揮散に応じて上記フィルムが変形することによる液体薬剤の残存量を容易に目視できる。
【００３９】
本発明の液体薬剤容器を製造する方法は、包装分野におけるプラスチック容器を製造する公知慣用の成形技術を採用して製造でき、特に限定されない。
【００４０】
本発明の液体薬剤容器にあっては、使用されている時に、容器の内部にまだ薬剤が残存されていて薬剤の効果を発揮しているのか、あるいは、すでに揮散してしまって、薬剤の効果が充分に達せられていないかは薬剤容器の内部に収納された液体薬剤を見ただけで判断することができる。
【００４１】
したがって、液体薬剤容器内部に収納されたの薬剤がすでに揮散して無くなっていることが容易に目視確認できるために、適切な交換時期を知ることができるので、まだ薬剤の効果があると誤認したり、まだ充分に薬剤の効果があるにも拘わらず、使用者が誤認して捨ててしまうという従来の薬剤容器における問題を回避できる。
【００４２】
【発明の効果】
本発明により、容易に容器に収納した防虫剤や芳香剤等の残存量を容易に目視認識することができる、簡便にして安価な薬剤容器を提供することができる。
従って、本発明の液体薬剤容器においては、薬剤容器の薬剤含浸部材等の部材を交換する必要がなく、また、インジケーター等をもける必要もなく、適切な交換時期を知ることができる。
【図面の簡単な説明】
【図１】本発明の液体薬剤容器の一例を示した概略図であり、
（ａ）は、この容器の概略断面図である。
（ｂ）は、容器本体側から見た概略平面図である。
【図２】本発明の液体薬剤容器の別の例を示した概略図であり、
（ａ）は、この容器の概略断面図である。
（ｂ）は、容器本体側から見た概略平面図である。
【図３】図１に示した本発明の液体薬剤容に設けた各々の凸状部の開口部開口巾Ｗと各々の開口部に対応する凸状部深さＬとの関係を説明するための説明図である。
【図４】図２に示した本発明の液体薬剤容に設けた各々の凸状部の開口部開口巾Ｗと各々の開口部に対応する凸状部深さＬとの関係を説明するための説明図である。
【図５】本発明の液体薬剤容器の開口部を封止してなるプラスチックフィルム面から液体薬剤が揮散するその揮散量に応じて、このプラスチックフィルムが容器本体に設けた凸状部側に凸状に変形する状態を説明するための説明図である。
【図６】従来の薬剤容器の一例を示した概略斜視図である。
【符号の説明】
１、５、６・・・薬剤容器
２・・・容器本体
２ａ、２ｂ、２ｃ、２ｄ、２ｅ、２ｆ・・・凸状部
３・・・プラスチックフィルム
３ａ、３ｂ、３ｃ・・・プラスチックフィルムの変形部
４・・・液体薬剤
７・・・開口部
８・・・フック部
９・・・長孔
１０・・・取替部材
１１・・・基板材
１２・・・薬剤揮散部
１３・・・掴み部
Ｌａ、Ｌｂ、Ｌｃ、Ｌｄ、Ｌｅ、Ｌｆ・・・凸状部の深さ
Ｗａ、Ｗｂ、Ｗｃ、Ｗｄ、Ｗｅ、Ｗｆ・・・凸状部の開口部開口巾
【図１】
2004010121.tif 000003
【図２】
2004010121.tif 000004
【図３】
2004010121.tif 000005
【図４】
2004010121.tif 000006
【図５】
2004010121.tif 000007
【図６】
2004010121.tif 000008